(57)【要約】【課題】ユーザーの多様な体型に対応して脚を適切にマッサージ可能なエアーマッサージ装置を提供する。【解決手段】エアーマッサージ装置１は脚に装着される装着物２０を備える。装着物２０は上部被覆部３０、下部被覆部５０、および、連結部８０を備える。上部被覆部３０は膝にかからないように大腿に装着される第１の装着形態、および、膝を跨いで大腿および下腿に装着される第２の装着形態を含む複数の装着形態の中から１つの装着形態を選択して脚に装着可能であり、第１の装着形態または第２の装着形態で脚に装着された状態において脚をマッサージ可能な上部エアーバッグを含む。下部被覆部５０は下腿に装着できるように上部被覆部３０よりも下方に設けられ、下腿をマッサージ可能な下部エアーバッグを含む。連結部８０は上部被覆部３０と下部被覆部５０とが相対的に移動できるように上部被覆部３０と下部被覆部５０とを連結する。【選択図】図１
2017169973.tif 000002
【特許請求の範囲】
【請求項１】
脚に装着される装着物を備え、
前記装着物は、
膝にかからないように大腿に装着される第１の装着形態、および、膝を跨いで大腿および下腿に装着される第２の装着形態を含む複数の装着形態の中から１つの装着形態を選択して脚に装着可能であり、前記第１の装着形態または前記第２の装着形態で脚に装着された状態において脚をマッサージ可能な上部エアーバッグを含む上部被覆部と、
下腿に装着できるように前記上部被覆部よりも下方に設けられ、下腿をマッサージ可能な下部エアーバッグを含む下部被覆部と、
前記上部被覆部と前記下部被覆部とが相対的に移動できるように前記上部被覆部と前記下部被覆部とを連結する連結部とを備える
エアーマッサージ装置。
【請求項２】
前記連結部は前記上部被覆部が前記第１の装着形態で脚に装着された場合に膝が露出するように前方が開放されている
請求項１に記載のエアーマッサージ装置。
【請求項３】
前記装着物は膝裏に接触することにより脚に対する前記上部被覆部の位置を決める位置決め部をさらに備える
請求項１または２に記載のエアーマッサージ装置。
【請求項４】
前記上部被覆部は、前記第２の装着形態において大腿に装着される部分である第１の上部被覆部、前記第２の装着形態において下腿に装着される部分である第２の上部被覆部、および、前記第１の上部被覆部と前記第２の上部被覆部とを接続する接続部を含み、
前記上部エアーバッグは、前記第２の装着形態で脚に装着された前記第１の上部被覆部のうちの大腿の正面を覆う部分に設けられる第１の上部エアーバッグ、および、前記第２の装着形態で脚に装着された前記第２の上部被覆部のうちの下腿の背面を覆う部分に設けられる第２の上部エアーバッグを含む
請求項１〜３のいずれか一項に記載のエアーマッサージ装置。
【請求項５】
前記上部エアーバッグは前記２の装着形態で脚に装着された前記接続部のうちの膝裏を覆う部分に設けられる第３の上部エアーバッグを含み、
前記位置決め部は膝裏をマッサージできるように前記第３の上部エアーバッグに取り付けられる凸部を含む
請求項３を引用する請求項４に記載のエアーマッサージ装置。
【請求項６】
前記上部エアーバッグは前記上部被覆部内に配置され、
前記下部エアーバッグは前記下部被覆部内に配置され、
前記上部エアーバッグとエアーポンプとを接続し、前記上部被覆部が脚に装着された状態において前記上部被覆部のうちの脚の幅方向の中心よりも外側または内側に対応する部分から引き出され、前記上部被覆部の外部において脚の幅方向の中心を跨がないように引き回される第１のホースと、
前記下部エアーバッグと前記エアーポンプとを接続し、前記下部被覆部が脚に装着された状態において前記下部被覆部のうちの脚の幅方向の中心よりも外側または内側に対応する部分から引き出され、前記下部被覆部の外部において脚の幅方向の中心を跨がないように引き回される第２のホースとをさらに備える
請求項１〜５のいずれか一項に記載のエアーマッサージ装置。
【請求項７】
前記装着物は、
前記下部被覆部と連続し、足に装着可能な足被覆部と、
前記足被覆部上に配置される台、および、足裏をマッサージできるように前記台から突出する突起を含む足裏施療部とをさらに備え、
前記足被覆部および前記足裏施療部は、前記足裏施療部を前記足被覆部に取り付けること、および、前記足裏施療部を前記足被覆部から取り外すことが可能な着脱構造を含み、
前記着脱構造は、前記足裏施療部の上下方向に沿う中心軸まわりにおいて前記突起の配置が異なる少なくとも２種類の取付状態を選択できるように構成される
請求項１〜６のいずれか一項に記載のエアーマッサージ装置。
【発明の詳細な説明】
【技術分野】
【０００１】
本発明は脚をマッサージするエアーマッサージ装置に関する。
【背景技術】
【０００２】
複数のエアーバッグを用いて脚をマッサージするエアーマッサージ装置が知られている。その一例である特許文献１のエアーマッサージ装置は、脚に装着可能なシート部材、および、シート部材に設けられた複数のエアーバッグを備える。シート部材が脚に装着され、複数のエアーバッグが膨張することにより脚がマッサージされる。
【先行技術文献】
【特許文献】
【０００３】
【特許文献１】特開平１１−４７２０９号公報
【発明の概要】
【発明が解決しようとする課題】
【０００４】
上記エアーマッサージ装置によれば、ユーザーの脚の長さがシート部材の長さに合わない場合、脚に好ましいマッサージ感が与えられないおそれがある。
【課題を解決するための手段】
【０００５】
本発明に従うエアーマッサージ装置の一形態は、脚に装着される装着物を備え、前記装着物は、膝にかからないように大腿に装着される第１の装着形態、および、膝を跨いで大腿および下腿に装着される第２の装着形態を含む複数の装着形態の中から１つの装着形態を選択して脚に装着可能であり、前記第１の装着形態または前記第２の装着形態で脚に装着された状態において脚をマッサージ可能な上部エアーバッグを含む上部被覆部と、下腿に装着できるように前記上部被覆部よりも下方に設けられ、下腿をマッサージ可能な下部エアーバッグを含む下部被覆部と、前記上部被覆部と前記下部被覆部とが相対的に移動できるように前記上部被覆部と前記下部被覆部とを連結する連結部とを備える。
【発明の効果】
【０００６】
上記エアーマッサージ装置はユーザーの多様な体型に対応して脚を適切にマッサージできる。
【図面の簡単な説明】
【０００７】
【図１】実施の形態のエアーマッサージ装置の斜視図。
【図２】図１のエアーマッサージ装置のブロック図。
【図３】図１のエアーマッサージ装置の展開図。
【図４】図３の装着物の内部構造を示す展開図。
【図５】図１のエアーマッサージ装置における第１の装着形態の一例を示す斜視図。
【図６】図１のエアーマッサージ装置における第２の装着形態の一例を示す斜視図。
【図７】図４の第１の上部エアーバッグと脚の筋肉との関係を示す正面図。
【図８】図４の各種の上部エアーバッグと脚の筋肉との関係を示す背面図。
【図９】図１のエアーマッサージ装置の背面図。
【図１０】図３の足裏施療部の斜視図。
【図１１】変形例の装着物の内部構造を示す展開図。
【発明を実施するための形態】
【０００８】
（エアーマッサージ装置が取り得る形態の一例）
〔１〕本発明に従うエアーマッサージ装置の一形態は、脚に装着される装着物を備え、前記装着物は、膝にかからないように大腿に装着される第１の装着形態、および、膝を跨いで大腿および下腿に装着される第２の装着形態を含む複数の装着形態の中から１つの装着形態を選択して脚に装着可能であり、前記第１の装着形態または前記第２の装着形態で脚に装着された状態において脚をマッサージ可能な上部エアーバッグを含む上部被覆部と、下腿に装着できるように前記上部被覆部よりも下方に設けられ、下腿をマッサージ可能な下部エアーバッグを含む下部被覆部と、前記上部被覆部と前記下部被覆部とが相対的に移動できるように前記上部被覆部と前記下部被覆部とを連結する連結部とを備える。
【０００９】
上記エアーマッサージ装置によれば、装着形態毎に脚の長手方向における装着物の長さが異なる。このため、ユーザーは自身の脚の長さに応じた装着形態を選択して装着物を脚に装着することが可能である。このため、上部エアーバッグおよび下部エアーバッグが脚のマッサージに適した部位に配置され、各エアーバッグにより脚に好ましいマッサージ感が与えられる。このように、上記エアーマッサージ装置はユーザーの多様な体型に対応して脚を適切にマッサージすることができる。
【００１０】
〔２〕前記エアーマッサージ装置の一例によれば、前記連結部は前記上部被覆部が前記第１の装着形態で脚に装着された場合に膝が露出するように前方が開放されている。
上部被覆部が第１の装着形態で脚に装着された場合に膝が露出するため、膝を曲げる動作および伸ばす動作を容易に実施できる。このため、ユーザーはエアーマッサージ装置を使用しているときに姿勢を変化させやすい。
【００１１】
〔３〕前記エアーマッサージ装置の一例によれば、前記装着物は膝裏に接触することにより脚に対する前記上部被覆部の位置を決める位置決め部をさらに備える。
膝裏は脚の中でも特徴的な形状を有する部分の１つに該当する。上記エアーマッサージ装置の位置決め部はそのような膝裏を対象としているため、ユーザーは装着物を脚に容易に装着できる。
【００１２】
〔４〕前記エアーマッサージ装置の一例によれば、前記上部被覆部は、前記第２の装着形態において大腿に装着される部分である第１の上部被覆部、前記第２の装着形態において下腿に装着される部分である第２の上部被覆部、および、前記第１の上部被覆部と前記第２の上部被覆部とを接続する接続部を含み、前記上部エアーバッグは、前記２の装着形態で脚に装着された前記第１の上部被覆部のうちの大腿の正面を覆う部分に設けられる第１の上部エアーバッグ、および、前記２の装着形態で脚に装着された前記第２の上部被覆部のうちの下腿の背面を覆う部分に設けられる第２の上部エアーバッグを含む。
【００１３】
上記エアーマッサージ装置によれば、上部被覆部が第２の装着形態で脚に装着された場合、各上部エアーバッグにより膝まわりがマッサージされる。膝まわりにはマッサージ効果が高い筋肉が多く存在する。このため、上記エアーマッサージ装置は脚を効率的にマッサージできる。
【００１４】
〔５〕前記エアーマッサージ装置の一例によれば、前記上部エアーバッグは前記２の装着形態で脚に装着された前記接続部のうちの膝裏を覆う部分に設けられる第３の上部エアーバッグを含み、前記位置決め部は膝裏をマッサージできるように前記第３の上部エアーバッグに取り付けられる凸部を含む。
【００１５】
上記エアーマッサージ装置によれば、第３の上部エアーバッグが膨張することにより膝裏が位置決め部の凸部によりマッサージされる。このため、膝裏に好ましいマッサージ感が与えられる。
【００１６】
〔６〕前記エアーマッサージ装置の一例によれば、前記上部エアーバッグは前記上部被覆部内に配置され、前記下部エアーバッグは前記下部被覆部内に配置され、前記上部エアーバッグとエアーポンプとを接続し、前記上部被覆部が脚に装着された状態において前記上部被覆部のうちの脚の幅方向の中心よりも外側または内側に対応する部分から引き出され、前記上部被覆部の外部において脚の幅方向の中心を跨がないように引き回される第１のホースと、前記下部エアーバッグと前記エアーポンプとを接続し、前記下部被覆部が脚に装着された状態において前記下部被覆部のうちの脚の幅方向の中心よりも外側または内側に対応する部分から引き出され、前記下部被覆部の外部において脚の幅方向の中心を跨がないように引き回される第２のホースとをさらに備える。
【００１７】
上記エアーマッサージ装置によれば、装着物を装着したユーザーが椅子に着座したときに各ホースが脚と椅子との間に挟まれにくい。また、装着物を装着したユーザーが床に座ったときに各ホースが脚と床との間に挟まれにくい。このため、ユーザーが違和感を覚えにくい。
【００１８】
〔７〕前記エアーマッサージ装置の一例によれば、前記装着物は、前記下部被覆部と連続し、足に装着可能な足被覆部と、前記足被覆部上に配置される台、および、足裏をマッサージできるように前記台から突出する突起を含む足裏施療部とをさらに備え、前記足被覆部および前記足裏施療部は、前記足裏施療部を前記足被覆部に取り付けること、および、前記足裏施療部を前記足被覆部から取り外すことが可能な着脱構造を含み、前記着脱構造は、前記足裏施療部の上下方向に沿う中心軸まわりにおいて前記突起の配置が異なる少なくとも２種類の取付状態を選択できるように構成される。
【００１９】
突起は少なくとも２種類の取付状態のそれぞれにおいて足裏の異なる部分をマッサージする。このため、足裏施療部の取付状態を選択可能な上記エアーマッサージ装置は多様なマッサージ感を足裏に付与できる。
【００２０】
（実施の形態）
図１はエアーマッサージ装置１の外観である。エアーマッサージ装置１はコントローラー１０、一対の装着物２０、および、２本のワイヤーハーネス１１０を備える。一方のワイヤーハーネス１１０はコントローラー１０と一方の装着物２０とを接続し、他方のワイヤーハーネス１１０はコントローラー１０と他方の装着物２０とを接続する。
【００２１】
コントローラー１０は本体１１、操作部１２、電源コネクター１３、コネクター１４、および、電源１５（図２参照）を含む。本体１１の形状の一例は楕円形である。本体１１は各種の電気的な要素を内部に収容している。操作部１２の機能はエアーマッサージ装置１の動作に関する情報を入力することである。操作部１２は本体１１の外面に設けられる。電源コネクター１３は本体１１の外面に設けられ、例えばＡＣアダプター（図示略）が接続される。コネクター１４は本体１１の外面に設けられ、２本のワイヤーハーネス１１０がそれぞれ接続される。電源１５の機能はエアーマッサージ装置１を構成する各種の電気的な要素に電力を供給することである。電源１５は例えば本体１１の内部に設けられ、商用電源（図示略）から電力が供給されることにより起動する。
【００２２】
一対の装着物２０は対応する下肢に装着される。一方の装着物２０および他方の装着物２０は左右対称の関係を有する。装着物２０は上部被覆部３０、下部被覆部５０、足被覆部６０、および、連結部８０を備える。
【００２３】
上部被覆部３０は複数の装着形態の中から１つの装着形態を選択可能である。複数の装着形態は第１の装着形態および第２の装着形態を含む。第１の装着形態は上部被覆部３０が膝にかからないように大腿に装着される装着形態である。第２の装着形態は上部被覆部３０が膝を跨いで大腿および下腿に装着される装着形態である。上部被覆部３０は上部エアーバッグ４０（図４参照）を含む。上部エアーバッグ４０は第１の装着形態または第２の装着形態において脚をマッサージできるように上部被覆部３０内に配置される。上部エアーバッグ４０は第１の上部エアーバッグ４１、第２の上部エアーバッグ４２、および、第３の上部エアーバッグ４３を含む（図４参照）。
【００２４】
下部被覆部５０は下腿に装着できるように上部被覆部３０よりも下方に設けられる。下部被覆部５０は下部エアーバッグ５１（図４参照）を含む。下部エアーバッグ５１は下腿をマッサージできるように下部被覆部５０内に配置される。下部エアーバッグ５１は第１の下部エアーバッグ５２および第２の下部エアーバッグ５３を含む（図４参照）。足被覆部６０は下部被覆部５０と連続し、足に装着できるように下部被覆部５０よりも下方に設けられる。足被覆部６０は足エアーバッグ６１（図４参照）を含む。足エアーバッグ６１は足をマッサージできるように足被覆部６０内に配置される。下部被覆部５０および足被覆部６０は例えばブーツのような形状である。なお、下部被覆部５０および足被覆部６０の具体的な構成は特開２０１５−１７３７１０号公報に開示されているブーツの構成と概ね同じであるため、その共通する事項の説明の一部または全部を省略する。
【００２５】
連結部８０の機能は上部被覆部３０と下部被覆部５０とが相対的に移動できるように上部被覆部３０と下部被覆部５０とを連結することである。連結部８０は上部被覆部３０および下部被覆部５０と連続する。連結部８０は例えば撓みやすい材料により構成される。連結部８０は上部被覆部３０が第１の装着形態で脚に装着された場合に膝が露出するように前方が開放されている。このため、上部被覆部３０が第１の装着形態で脚に装着された場合に膝を曲げる動作および伸ばす動作を容易に実施でき、ユーザーはエアーマッサージ装置１を使用しているときに姿勢を変化させやすい。
【００２６】
２本のワイヤーハーネス１１０は互いに同じ構成である。ワイヤーハーネス１１０は第１のホース１１１、第２のホース１１２、第３のホース１１３（図４参照）、連結バンド１１４、および、コネクター１１５を含む。
【００２７】
第１のホース１１１の機能は本体１１内に設けられるエアーポンプ１６（図２参照）から上部エアーバッグ４０に空気が供給されるように上部エアーバッグ４０とエアーポンプ１６とを接続することである。第２のホース１１２の機能はエアーポンプ１６から下部エアーバッグ５１に空気が供給されるように下部エアーバッグ５１とエアーポンプ１６とを接続することである。第３のホース１１３の機能はエアーポンプ１６から足エアーバッグ６１に空気が供給されるように足エアーバッグ６１とエアーポンプ１６とを第２のホース１１２を介して接続することである。第３のホース１１３は下部被覆部５０および足被覆部６０の内部に配線される。
【００２８】
連結バンド１１４の機能は第１のホース１１１および第２のホース１１２を束ねることである。連結バンド１１４の数の一例は２つである。コネクター１１５は第１のホース１１１および第２のホース１１２の端部に設けられる。コネクター１１５がコントローラー１０のコネクター１４に接続されることによりワイヤーハーネス１１０がコントローラー１０と装着物２０とを接続し、エアーポンプ１６の空気が各エアーバッグ４０、５１、６１に供給可能な状態が構成される。
【００２９】
図２はエアーマッサージ装置１の接続関係を示す。コントローラー１０はエアーポンプ１６、制御弁１７、および、制御部１８をさらに含む。エアーポンプ１６の機能は各エアーバッグ４０、５１、６１に空気を供給することである。制御弁１７の機能は各エアーバッグ４０、５１、６１に関する空気の供給および排出を切り替えることである。制御部１８の機能は操作部１２による操作に基づいてエアーポンプ１６および制御弁１７を制御することである。制御弁１７および制御部１８は本体１１内に設けられる。
【００３０】
装着物２０は第１の接続部品７１および第２の接続部品７２をさらに備える。第１の接続部品７１は第１のホース１１１と各上部エアーバッグ４１〜４３とを接続している。第２の接続部品７２は第２のホース１１２と各下部エアーバッグ５２、５３とを接続している。
【００３１】
第１のホース１１１は第１のエアーチューブ１１１Ａ、第２のエアーチューブ１１１Ｂ、第３のエアーチューブ１１１Ｃ、および、被覆チューブ１１１Ｄを含む。各エアーチューブ１１１Ａ〜１１１Ｃは被覆チューブ１１１Ｄに覆われることにより束ねられる。被覆チューブ１１１Ｄは本体１１と第１の接続部品７１とを接続している。第１のエアーチューブ１１１Ａは制御弁１７から伸びて被覆チューブ１１１Ｄ内を通過し、第１の接続部品７１を介して第１の上部エアーバッグ４１に設けられる第１の供給口４１Ｄに接続される。第２のエアーチューブ１１１Ｂは制御弁１７から伸びて被覆チューブ１１１Ｄ内を通過し、第１の接続部品７１を介して第２の上部エアーバッグ４２に設けられる第２の供給口４２Ｃに接続される。第３のエアーチューブ１１１Ｃは制御弁１７から伸びて被覆チューブ１１１Ｄ内を通過し、第１の接続部品７１を介して第３の上部エアーバッグ４３に設けられる第３の供給口４３Ａに接続される。なお、各上部エアーバッグ４１〜４３に供給される空気は、制御弁１７が制御されることにより個別に調節可能である。
【００３２】
第２のホース１１２は第４のエアーチューブ１１２Ａ、第５のエアーチューブ１１２Ｂ、第６のエアーチューブ１１２Ｃ、および、被覆チューブ１１２Ｄを含む。各エアーチューブ１１２Ａ〜１１２Ｃは被覆チューブ１１２Ｄに覆われることにより束ねられる。被覆チューブ１１２Ｄは本体１１と第２の接続部品７２とを接続している。第４のエアーチューブ１１２Ａは制御弁１７から伸びて被覆チューブ１１２Ｄ内を通過し、第２の接続部品７２を介して第１の下部エアーバッグ５２に設けられる第４の供給口５２Ａに接続される。第５のエアーチューブ１１２Ｂは制御弁１７から伸びて被覆チューブ１１２Ｄ内を通過し、第２の接続部品７２を介して第２の下部エアーバッグ５３に設けられる第５の供給口５３Ａに接続される。第６のエアーチューブ１１２Ｃは制御弁１７から伸びて被覆チューブ１１２Ｄ内を通過し、第２の接続部品７２を介して第３のホース１１３内に配線され、第３のホース１１３内を通過して足エアーバッグ６１に設けられる第６の供給口６１Ａに接続される。なお、各下部エアーバッグ５２、５３および足エアーバッグ６１に供給される空気は、制御弁１７が制御されることにより個別に調節可能である。
【００３３】
図３は展開された装着物２０の内面を示す。なお、図３以降に示される装着物２０は右脚に装着される装着物２０である。
上部被覆部３０は第１の上部被覆部３１、第２の上部被覆部３２、および、接続部３３を含む。第１の上部被覆部３１は第２の装着形態において大腿に装着される部分である。第１の上部被覆部３１は長手方向および短手方向を規定可能な形状である。第１の上部被覆部３１は面ファスナーを含む。面ファスナーはループ３１Ａおよびフック３１Ｂを含む。ループ３１Ａは例えば第１の上部被覆部３１の内面に設けられる。フック３１Ｂは例えば第１の上部被覆部３１の外面に設けられる。第１の上部被覆部３１が脚に巻き付けられ、ループ３１Ａとフック３１Ｂとが貼り合せられることにより第１の上部被覆部３１が脚に装着される。
【００３４】
第２の上部被覆部３２は第２の装着形態において下腿に装着される部分である。第２の上部被覆部３２は長手方向および短手方向を規定可能な形状である。第２の上部被覆部３２は面ファスナーを含む。面ファスナーはループ３２Ａおよびフック３２Ｂを含む。ループ３２Ａは例えば第２の上部被覆部３２の内面に設けられる。フック３２Ｂは例えば第２の上部被覆部３２の外面に設けられる。第２の上部被覆部３２が脚に巻き付けられ、ループ３２Ａとフック３２Ｂとが貼り合せられることにより第２の上部被覆部３２が脚に装着される。
【００３５】
接続部３３は第１の上部被覆部３１と第２の上部被覆部３２とを接続する部分である。接続部３３は上部被覆部３０が第２の装着形態で膝に装着された場合に膝が露出するように前方が開放されている。このため、上部被覆部３０が第２の装着形態で脚に装着された場合に膝を曲げる動作および伸ばす動作を容易に実施でき、ユーザーはエアーマッサージ装置１を使用しているときに姿勢を変化させやすい。
【００３６】
装着物２０は位置決め部９０をさらに備える。位置決め部９０の機能は膝裏に接触することにより脚に対する上部被覆部３０の位置を決めることである。位置決め部９０は例えば上部被覆部３０の内面側において、接続部３３の中央に設けられる。位置決め部９０を接触させる膝裏は脚の中でも特徴的な形状を有する部分の１つに該当する。そのような膝裏を対象とした位置決め部９０に従って上部被覆部３０が装着されるため、ユーザーは装着物２０を脚に容易に装着できる。
【００３７】
装着物２０は足裏施療部１００をさらに備える。足裏施療部１００の機能は足裏をマッサージすることである。足裏施療部１００は足被覆部６０の内面において足裏と接触する部分に配置される。
【００３８】
図４は展開された装着物２０の内面側における内部構造を示す。第１の上部エアーバッグ４１は例えば第２の装着形態で脚に装着された第１の上部被覆部３１のうちの大腿の正面を覆う部分に設けられる。第１の上部エアーバッグ４１は中央部分４１Ａ、一対の側方部分４１Ｂ、および、通路４１Ｃを含む。中央部分４１Ａ、一対の側方部分４１Ｂ、および、通路４１Ｃは連続している。中央部分４１Ａは一対の側方部分４１Ｂに挟まれるように設けられる。通路４１Ｃの一方の端部は第１の供給口４１Ｄが設けられ、通路４１Ｃの他方の端部は一方の側方部分４１Ｂと繋がる。第１の供給口４１Ｄから流入した空気は通路４１Ｃを介して一方の側方部分４１Ｂに供給される。通路４１Ｃは実質的に膨張しない部分である。
【００３９】
第１の上部被覆部３１の長手方向における側方部分４１Ｂの幅は中央部分４１Ａの幅よりも広い。このため、一対の側方部分４１Ｂは中央部分４１Ａよりも膨張する。一例では、中央部分４１Ａは実質的に膨張しない。このため、第１の上部エアーバッグ４１が膨張することにより大腿の正面が挟み込まれ、大腿の正面に揉むような感覚が与えられる。このため、大腿の正面に好ましいマッサージ感が与えられる。
【００４０】
第２の上部エアーバッグ４２は第２の装着形態で脚に装着された第２の上部被覆部３２のうちの下腿の背面を覆う部分に設けられる。第２の上部エアーバッグ４２は中央部分４２Ａおよび一対の側方部分４２Ｂを含む。中央部分４２Ａおよび一対の側方部分４２Ｂは連続している。中央部分４２Ａは一対の側方部分４２Ｂに挟まれるように設けられる。一方の側方部分４２Ｂは第２の供給口４２Ｃが設けられる。
【００４１】
第２の上部被覆部３２の短手方向における側方部分４２Ｂの幅は中央部分４２Ａの幅よりも広い。このため、一対の側方部分４２Ｂは中央部分４２Ａよりも膨張する。一例では、中央部分４２Ａは実質的に膨張しない。このため、第２の装着形態において第２の上部エアーバッグ４２が膨張することにより下腿の背面が挟み込まれ、下腿の背面に揉むような感覚が与えられる。このため、第２の装着形態では下腿の背面に好ましいマッサージ感が与えられる。一方、第１の装着形態において第２の上部エアーバッグ４２が膨張する場合、大腿の背面に揉むような感覚が与えられる。このため、第１の装着形態では大腿の背面に好ましいマッサージ感が与えられる。
【００４２】
第３の上部エアーバッグ４３は第２の装着形態で脚に装着された接続部３３のうちの膝裏を覆う部分に設けられる。一例では、第３の上部エアーバッグ４３は第２の装着形態において、第１の上部被覆部３１のうちの大腿の背面を覆う部分と接続部３３のうちの膝裏を覆う部分とに跨るように設けられる。第３の上部エアーバッグ４３のうちの接続部３３側の端部は第３の供給口４３Ａが設けられる。なお、各供給口４１Ｄ、４２Ｃ、４３Ａは互いに近接し、第１の接続部品７１に接続されている。
【００４３】
位置決め部９０は凸部９１を含む。一例では、位置決め部９０は凸部９１を構成する。凸部９１は上部被覆部３０が第２の装着形態で脚に装着されたときに膝裏をマッサージできるように第３の上部エアーバッグ４３に取り付けられる。具体的には、凸部９１は第３の上部エアーバッグ４３のうちの接続部３３の中央に配置される部分に取り付けられる。図３に示される例では、凸部９１は上部被覆部３０の内面側に向けて突出している。
【００４４】
図５および図６を参照して、装着物２０の装着手順の一例について説明する。
図５は第１の装着形態で脚に装着された装着物２０の装着状態を示す。装着物２０は例えば次のように脚に装着される。始めに、足被覆部６０が足に装着され、下部被覆部５０が下腿に装着される。次に、連結部８０が膝裏と対向するように伸ばされる。そして、上部被覆部３０が膝にかからないように大腿に装着される。このとき、連結部８０の前方に開口８１が形成され、その開口８１から膝が露出する。このように、装着物２０が第１の装着形態で脚に装着される。
【００４５】
図６（ａ）は上部被覆部３０が装着される前の装着物２０の装着状態を示し、図６（ｂ）は第２の装着形態で脚に装着された装着物２０の装着状態を示す。
装着物２０は例えば次のように脚に装着される。始めに、図６（ａ）に示されるように足被覆部６０が足に装着され、下部被覆部５０が下腿に装着される。次に、上部被覆部３０が脚に装着されたときに上部被覆部３０と下部被覆部５０および脚の少なくとも一方との間に挟まれるように連結部８０が折り畳まれる。一例では、連結部８０は脚に対する上部被覆部３０の装着位置に応じて折り畳まれる。次に、位置決め部９０が膝裏と接触するように上部被覆部３０の接続部３３を膝裏に配置させる。
【００４６】
次に、図６（ｂ）に示されるように位置決め部９０を膝裏と接触させた状態において、上部被覆部３０が膝を跨いで大腿および下腿に装着される。具体的には、第１の上部被覆部３１が大腿に装着され、第２の上部被覆部３２が下腿に装着される。一例では、第２の上部被覆部３２は下部被覆部５０の一部と重なるように下腿に装着される。このとき、接続部３３の前方に開口３４が形成され、その開口３４から膝が露出する。このように、装着物２０が第２の装着形態で脚に装着される。
【００４７】
第１の装着形態および第２の装着形態では、脚の長手方向における装着物２０の長さが異なる。一例では、第１の装着形態における装着物２０の長さは第２の装着形態における装着物２０の長さよりも長い。このため、下腿の全体にわたって下部被覆部５０がフィットするような脚の長さを有するユーザー、すなわち脚の長さが短いユーザーは第１の装着形態により装着物２０を脚に装着することができる。また、下部被覆部５０を装着した状態において下腿の一部が露出するような脚の長さを有するユーザー、すなわち脚の長さが長いユーザーは第２の装着形態により装着物２０を脚に装着することができる。
【００４８】
図７は上部被覆部３０が第２の装着形態で脚に装着されたときの第１の上部エアーバッグ４１と脚の筋肉との関係を示す。なお、図７は脚の正面を示している。
第１の上部エアーバッグ４１は第２の装着形態において大腿の正面に配置され、大腿四頭筋ＭＱと対向する。具体的には、第１の上部エアーバッグ４１は大腿の正面のうちの膝まわりに配置され、大腿四頭筋ＭＱの付け根と対向する。大腿四頭筋ＭＱの付け根はマッサージ効果が高い筋肉である。このため、第１の上部エアーバッグ４１が膨張および収縮を繰り返すことにより大腿四頭筋ＭＱの付け根がマッサージされ、脚が効率的にマッサージされる。
【００４９】
図８は上部被覆部３０が第２の装着形態で脚に装着されたときの各種の上部エアーバッグ４２、４３と脚の筋肉との関係を示す。なお、図８は脚の背面を示している。
第２の上部エアーバッグ４２は第２の装着形態において下腿の背面に配置され、腓腹筋ＭＧと対向する。具体的には、第２の上部エアーバッグ４２は下腿の背面のうちの膝まわりに配置され、腓腹筋ＭＧの付け根と対向する。腓腹筋ＭＧの付け根はマッサージ効果が高い筋肉である。このため、第２の上部エアーバッグ４２が膨張および収縮を繰り返すことにより腓腹筋ＭＧの付け根がマッサージされ、脚が効率的にマッサージされる。なお、上部被覆部３０が第１の装着形態で脚に装着される場合、第２の上部エアーバッグ４２は大腿の背面のうちの膝まわりに配置され、ハムストリングＭＨの付け根をマッサージ可能である。
【００５０】
第３の上部エアーバッグ４３は第２の装着形態において大腿の背面および膝裏に跨るように配置され、主にハムストリングＭＨと対向する。具体的には、第３の上部エアーバッグ４３は大腿の背面のうちの膝まわりに配置され、ハムストリングＭＨの付け根と対向する。ハムストリングＭＨの付け根はマッサージ効果が高い筋肉である。このため、第３の上部エアーバッグ４３が膨張および収縮を繰り返すことによりハムストリングＭＨの付け根がマッサージされ、脚が効率的にマッサージされる。また、第３の上部エアーバッグ４３の膨張にともない位置決め部９０の凸部９１が膝裏と接触するため、膝裏に好ましいマッサージ感が与えられる。一例では、膝裏のうちの膝窩筋および膝窩リンパ節等が凸部９１によりマッサージされる。このように、上部被覆部３０が第２の装着形態で脚に装着されることにより、各上部エアーバッグ４１〜４３により膝まわりがマッサージされ、凸部９１により膝裏がマッサージされる。
【００５１】
図９は展開された装着物２０の外面を示す。第１のホース１１１は例えば上部被覆部３０が脚に装着された状態において上部被覆部３０のうちの脚の幅方向の中心よりも内側に対応する部分から引き出され、上部被覆部３０の外部において脚の幅方向の中心を跨がないように引き回される。第２のホース１１２は例えば下部被覆部５０が脚に装着された状態において下部被覆部５０のうちの脚の幅方向の中心よりも内側に対応する部分から引き出され、下部被覆部５０の外部において脚の幅方向の中心を跨がないように引き回される。このため、装着物２０を装着したユーザーが椅子に着座したときに各ホース１１１、１１２が脚と椅子との間に挟まれにくい。また、装着物２０を装着したユーザーが床に座ったときに各ホース１１１、１１２が脚と床との間に挟まれにくい。このため、ユーザーが違和感を覚えにくい。
【００５２】
図１０は足裏施療部１００の外観を示す。足裏施療部１００は台１０１および突起１０２を含む。台１０１は足被覆部６０（図３参照）上に配置される。突起１０２は足裏をマッサージできるように台１０１から上方に突出している。突起１０２の数の一例は２つである。２つの突起１０２は台１０１上において点対称の位置に設けられる。２つの突起１０２の高さは互いに異なる。
【００５３】
図３および図１０に示されるとおり、足被覆部６０および足裏施療部１００は足裏施療部１００を足被覆部６０に取り付けること、および、足裏施療部１００を足被覆部６０から取り外すことが可能な着脱構造を含む。着脱構造は、足裏施療部１００の上下方向に沿う中心軸まわりにおいて突起１０２の配置が異なる少なくとも２種類の取付状態を選択できるように構成される。一例では、着脱構造は４種類の取付状態を選択可能である。
【００５４】
着脱構造は挿入部１０１Ａおよび被挿入部６０Ａを含む。挿入部１０１Ａは台１０１の平面方向に突出するように台１０１に設けられる。挿入部１０１Ａの数の一例は４つである。各挿入部１０１Ａは例えば足裏施療部１００の平面視において、台１０１の上下方向および左右方向に突出するように設けられる。被挿入部６０Ａは足被覆部６０の内面において足裏と接触する部分に設けられる。被挿入部６０Ａは挿入部１０１Ａを挿入可能な構造を有する。被挿入部６０Ａの数の一例は２つである。２つの被挿入部６０Ａは互いに対向するように設けられる。
【００５５】
足裏施療部１００は例えば互いに反対方向に突出する２つの挿入部１０１Ａが対応する被挿入部６０Ａに挿入されることにより足被覆部６０に取り付けられる。挿入部１０１Ａと被挿入部６０Ａとの関係が変更されることにより、すなわち着脱構造の取付状態が変更されることにより台１０１に対する各突起１０２の配置が変更される。このため、各突起１０２は４種類の取付状態のそれぞれにおいて足裏の異なる部分をマッサージする。このため、足裏施療部１００の取付状態を選択可能なエアーマッサージ装置１は多様なマッサージ感を足裏に付与できる。
【００５６】
図１を参照して、エアーマッサージ装置１の使用方法の一例について説明する。
エアーマッサージ装置１を使用するユーザーは、例えば自身の脚の長さに応じて装着形態を選択し、選択した装着形態に応じて装着物２０を両脚に装着することができる。例えば、脚の長さが短いユーザーは第１の装着形態を選択し、脚の長さが長いユーザーは第２の装着形態を選択することも可能である。その後、ユーザーは操作部１２を操作することにより電源を投入し、マッサージコース等を選択する。これにより、エアーマッサージ装置１によるマッサージが開始される。
【００５７】
エアーマッサージ装置１によれば、装着形態毎に脚の長手方向における装着物２０の長さが異なる。このため、ユーザーは自身の脚の長さに応じた装着形態を選択して装着物２０を脚に装着することが可能である。このため、上部エアーバッグ４０および下部エアーバッグ５１が脚のマッサージに適した部位に配置され、各エアーバッグ４０、５１等により脚に好ましいマッサージ感が与えられる。このように、エアーマッサージ装置１はユーザーの多様な体型に対応して脚を適切にマッサージすることができる。
【００５８】
（変形例）
実施の形態に関する説明は本発明に従うエアーマッサージ装置が取り得る形態の例示であり、その形態を制限することを意図していない。本発明に従うエアーマッサージ装置は実施の形態以外に例えば以下に示される実施の形態の変形例、および、相互に矛盾しない少なくとも２つの変形例が組み合わせられた形態を取り得る。
【００５９】
・着脱構造が選択可能な取付状態の数は任意に変更可能である。一例では、着脱構造は２種類、３種類、または、５種類以上の取付状態を選択可能である。なお、着脱構造が選択可能な取付状態の数に応じて、挿入部１０１Ａおよび被挿入部６０Ａの数等が変更される。
【００６０】
・足被覆部６０および足裏施療部１００は着脱構造を省略した形態を取り得る。第１の例では、足裏施療部１００は上下方向に沿う中心軸まわりに回転可能に足被覆部６０に取り付けられる。この例によれば、足裏施療部１００の取付状態が変更可能であるため、多様なマッサージ感を足裏に付与できる。第２の例では、足裏施療部１００は足被覆部６０に固定される。
【００６１】
・足裏施療部１００の突起１０２の数は任意に変更可能である。一例では、突起１０２の数は１つまたは３つ以上である。
・変形例の装着物２０は足被覆部６０および足裏施療部１００の少なくとも一方を省略した形態を取り得る。
【００６２】
・変形例の第１のホース１１１は上部被覆部３０の外部において脚の幅方向の中心を跨ぐように引き回される。なお、第２のホース１１２においても同様の変形が成立する。
・変形例の第１のホース１１１は上部被覆部３０が脚に装着された状態において上部被覆部３０のうちの脚の幅方向の中心よりも外側に対応する部分から引き出される。別の変形例の第１のホース１１１は上部被覆部３０が脚に装着された状態において上部被覆部３０のうちの脚の幅方向の中心から引き出される。なお、第２のホース１１２においても同様の変形が成立する。
【００６３】
・連結バンド１１４の数は任意に変更可能である。第１の例では、連結バンド１１４の数は１つまたは３つ以上である。第２の例では、ワイヤーハーネス１１０は連結バンド１１４を省略した形態を取り得る。
【００６４】
・位置決め部９０の取付位置は任意に変更可能である。一例では、図１１に示されるとおり、位置決め部９０は連結部８０の内面側における中央に設けられる。この例によれば、位置決め部９０に従って上部被覆部３０が第１の装着形態で脚に装着されるため、ユーザーは装着物２０を脚に容易に装着できる。
【００６５】
・変形例の位置決め部９０は凸部９１を省略した形態を取り得る。
・位置決め部９０の数は任意に変更可能である。第１の例では、位置決め部９０の数は２つ以上である。例えば、位置決め部９０は接続部３３の中央（図４参照）および連結部８０の中央（図１１参照）の２箇所に設けられる。第２の例では、装着物２０は位置決め部９０を省略した形態を取り得る。
【００６６】
・第１の上部エアーバッグ４１の構成は任意に変更可能である。第１の例では、中央部分４１Ａは一対の側方部分４１Ｂと実質的に同じ程度に膨張する構造である。第２の例では、中央部分４１Ａは一対の側方部分４１Ｂよりも膨張する構造である。第３の例では、中央部分４１Ａおよび一対の側方部分４１Ｂが一体的に膨張する構造である。なお、第２の上部エアーバッグ４２においても同様の変形が成立する。
【００６７】
・上部エアーバッグ４０の数は任意に変更可能である。第１の例では、上部エアーバッグ４０は第１の上部エアーバッグ４１、第２の上部エアーバッグ４２、および、第３の上部エアーバッグ４３に代えてまたは加えて、少なくとも１つのエアーバッグを含む。第２の例では、上部エアーバッグ４０は第１の上部エアーバッグ４１、第２の上部エアーバッグ４２、および、第３の上部エアーバッグ４３のうちの少なくとも１つを省略した形態を取り得る。なお、下部エアーバッグ５１においても同様の変形が成立する。
【００６８】
・上部被覆部３０の構成は任意に変更可能である。一例では、上部被覆部３０は接続部３３を省略した形態を取り得る。この例では、第１の上部被覆部３１と第２の上部被覆部３２とが連結される。
【００６９】
・連結部８０を構成する材料は任意に変更可能である。一例では、連結部８０は伸縮可能な材料により構成される。
・変形例の連結部８０は上部被覆部３０が第１の装着形態で脚に装着された場合に膝が露出しないように前方が閉鎖されている。なお、接続部３３においても同様の変形が成立する。
【００７０】
・上部被覆部３０が選択可能な複数の装着形態は第１の装着形態および第２の装着形態に加えて、少なくとも１つの別の装着形態を含む。別の装着形態の一例は、第２の上部被覆部３２の全部が下部被覆部５０と重なるように脚に装着される。
【産業上の利用可能性】
【００７１】
本発明に従うエアーマッサージ装置は家庭用および業務用をはじめとする各種のエアーマッサージ装置に利用できる。
【符号の説明】
【００７２】
１    ：エアーマッサージ装置
１６  ：エアーポンプ
２０  ：装着物
３０  ：上部被覆部
３１  ：第１の上部被覆部
３２  ：第２の上部被覆部
３３  ：接続部
４０  ：上部エアーバッグ
４１  ：第１の上部エアーバッグ
４２  ：第２の上部エアーバッグ
４３  ：第３の上部エアーバッグ
５０  ：下部被覆部
５１  ：下部エアーバッグ
６０  ：足被覆部
８０  ：連結部
９０  ：位置決め部
９１  ：凹部
１００：足裏施療部
１０１：台
１０２：突起
１１１：第１のホース
１１２：第２のホース
【図１】
2017169973.tif 000003
【図２】
2017169973.tif 000004
【図３】
2017169973.tif 000005
【図４】
2017169973.tif 000006
【図５】
2017169973.tif 000007
【図６】
2017169973.tif 000008
【図７】
2017169973.tif 000009
【図８】
2017169973.tif 000010
【図９】
2017169973.tif 000011
【図１０】
2017169973.tif 000012
【図１１】
2017169973.tif 000013